(57)【要約】【課題】胴部下端を板状シール部で形成するチューブ容器のように正立不能ないし、当初は正立可能にあっても収納物減少で正立困難となる容器に簡易な構造のスタンドを付設し、容器を正立ないし正立に近い傾斜状態で保持させ、スタンド付設状態のままで容器内収納物の注出が可能とした。【解決手段】底板２３から主板２２を起立し、該主板上端前面へ装着部２６を付設したスタンド２１を設け、その装着部へ口頸部５を嵌合させて可撓性の胴部２を有する容器１を保持させ、上記主板２２と胴部２の長さをほぼ等しく設けた。【選択図】    図１
2004299691.tif 000002
【特許請求の範囲】
【請求項１】
底板２３から起立する主板２２上端の前面へ、装着部２６を付設した、自立可能なスタンド２１と、上記装着部２６を口頸部５の外面へ嵌合させて上記スタンド２１で保持された、可撓性の胴部２を有する容器１とからなり、
該容器の胴部２の長さを主板２２の長さとほぼ等しくした
ことを特徴とするスタンド付き容器。
【請求項２】
上記スタンド２１を、底板２３前部から斜後上方へ傾斜させて主板２２を起立させると共に、該主板上端から斜上前方へ装着部２６を突出させて形成した
ことを特徴とする請求項１記載のスタンド付き容器。
【請求項３】
上記主板２２を、左右方向横巾が巾広に形成し、該主板前面への押圧により容器胴部の圧搾が可能に形成した
ことを特徴とする、請求項１又は２記載のスタンド付き容器。
【請求項４】
上記容器１を、板状シール部３で胴部２下端を閉塞するチューブ容器で形成した
ことを特徴とする請求項１、２又は３記載のスタンド付き容器。
【請求項５】
上記容器の口頸部５外面へ、ノズル筒付きキャップ１１のキャップ状部１２を水密に嵌合させ、該キャップ状部から起立するノズル筒１３先端は有頂として、該先端部切断によりノズル注出口が形成可能とした
ことを特徴とする、請求項１、２、３又は４記載のスタンド付き容器。
【請求項６】
上記装着部２６を注出部付きのキャップ１５で形成して、該キャップへ容器口頸部５を嵌合させた
ことを特徴とする請求項１、２、３、４又は５記載のスタンド付き容器。
【発明の詳細な説明】
【０００１】
【発明の属する技術分野】
本発明はスタンド付き容器に関する。
【０００２】
【従来の技術】
キャップ状に、チューブ容器の上部へ筒状のスタンドを嵌合させて、チューブ容器倒立状態で起立させることが可能としたチューブ容器用スタンドが知られている。（特許文献１参照）
【０００３】
【特許文献１】
特開２０００−３４７７９２号公報
【０００４】
【発明が解決しようとする課題】
例えば合成樹脂製のチューブ容器のように正立不能で、通常横倒し状態で載置される容器とか、収納物が多量に充填されていて当初は正立可能であっても、胴部が可撓性を有するため収納物減少後は正立困難となるような容器には、簡易な構造のスタンドを付設することで正立状態を保たせ、容器内収納物が洩れない状態に保つことが出来るようにすることが望まれる。
【０００５】
本発明はそのような、スタンド付き容器を提案しようとするものである。
【０００６】
【課題を解決するための手段】
第１の手段として、底板２３から起立する主板２２上端の前面へ、装着部２６を付設した、自立可能なスタンド２１と、上記装着部２６を口頸部５の外面へ嵌合させて上記スタンド２１で保持された、可撓性の胴部２を有する容器１とからなり、
該容器の胴部２の長さを主板２２の長さとほぼ等しくした。
【０００７】
第２の手段として、上記第１の手段を有すると共に上記スタンド２１を、底板２３前部から斜後上方へ傾斜させて主板２２を起立させると共に、該主板上端から斜上前方へ装着部２６を突出させて形成した。
【０００８】
第３の手段として、上記第１又は第２の手段を有すると共に上記主板２２を、左右方向横巾が巾広に形成し、該主板前面への押圧により容器胴部の圧搾が可能に形成した。
【０００９】
第４の手段として、上記第１、第２、又は第３の手段を有すると共に上記容器１を、板状シール部３で胴部２下端を閉塞するチューブ容器で形成した。
【００１０】
第５の手段として、上記第１、第２、第３又は第４の手段を有すると共に上記容器の口頸部５外面へ、ノズル筒付きキャップ１１のキャップ状部１２を水密に嵌合させ、該キャップ状部から起立するノズル筒１３先端は有頂として、該先端部切断によりノズル注出口が形成可能とした。
【００１１】
第６の手段として、上記第１、第２、第３、第４又は第５の手段を有すると共に上記装着部２６を注出部付きのキャップ１５で形成して、該キャップへ容器口頸部５を嵌合させた。
【００１２】
【発明の実施の形態】
以下図１から図３が示す第１実施形態について説明すると、１は容器で、図示例では該容器を、公知のように胴部２下端を板状シール部３として閉塞する合成樹脂製のチューブ容器としている。板状シール部３は胴部下端を加熱し、かつ挟着させて形成しており、胴部２上端からは肩部４を介して口頸部５を起立している。
【００１３】
図示例においては、上記口頸部５外面へ、ノズル筒付きキャップ１１のキャップ状部１２を水密に嵌合させており、該ノズル筒付きキャップは、チューブ容器の口頸部５外面へ螺合させた周壁１２ａ  上端から内向きフランジ１２ｂ  を介して先端部小径でかつ有頂のノズル筒１３を起立している。ノズル筒１３先端部は小外径としており、該小外径部の基端を切断することでノズル筒先端は開孔され、該孔が注出口を形成するよう設けている。
【００１４】
尚上記キャップ付きチューブ容器は、例えば美容院等で使用するクリーム状の薬品入り容器であり、一箇の容器内に収納されたクリーム状薬品を、少時間差をおいて数回に分けて使い尽す場合に用いるものである。
【００１５】
２１は、上記容器保持用のスタンドで、図１、図３が示すように、起立する主板２２の下端に底板２３を有し、かつ上端前面からは容器口頸部５の外面へ嵌合させる装着部２６を突出させている。
【００１６】
上記底板２３は平板状でもよいが、図示例では、主板２２下部の後面から斜下後方へ支え板２４を突出し、かつ該支え板の後端から接地板２５を後方へ突出させ、それ等接地板２５下面と上記主板２２下端面とを接地面としてスタンド２１を自立可能に形成している。
【００１７】
主板２２は底板２３から上後方へやや傾斜させ、又図示のように横断面を、前面凹状でかつ後面凸状の弯曲板としており、その凹状の前面は、チューブ容器胴部２を押付けすることで、該チューブ容器内収納物注出が容易となるよう設けている。該主板横巾は胴部の横巾とほぼ等しく設ければよい。
【００１８】
装着部２６は、既述チューブ容器の口頸部下端外面へ嵌合させるリング状部２７下端から肩部４上面を覆う外向きフランジ状部２８を突出させ、かつ該外向きフランジ状部外周から、胴上端部外面へ嵌合させる短筒部２９を垂下するもので、該短筒部の一部から主板２２を垂下させている。リング状部２７は、既述ノズル筒付きキャップ１１の周壁１２ａ  下端面と、チューブ容器肩部４の内周側上面との間で挟持させている。
【００１９】
上記スタンド２１へ、チューブ容器を装着させた状態で、チューブ容器はその上部よりも下部が前方へ位置するよう傾斜させており、図１が示すようにチューブ容器下端の板状シール部３下端面は、スタンド２１の底板２３が載置された台板５１等の上面一部へ接するよう設けている。
【００２０】
上記スタンド付き容器は、次のようにして使用することが出来る。
【００２１】
予めノズル筒１３先端を切除してその先端を開孔させておき、図２が示すようにスタンド付き容器を倒立させ、胴部２を主板２２へ押付けることで収納物を注出し、注出後は再び正立させて図１のようにスタンドの底板２３下面とチューブ容器の板状シール部３下端面とを接地面として台板上へ載置させる。該状態でノズル筒１３先端は開孔させたままとなるが、少時間差をおいて度々使用するため、その都度ノズル筒先端を開閉することは面倒であり、そのため開孔させたままで使用するが、チューブ容器内収納物の種類によってはノズル筒先端への着脱用口キャップを使用することも考えられる。
【００２２】
チューブ容器１内の収納物が少なくなるとその胴部２は変形して、板状シール部３の下端が、上記台板から離れることも考えられるが、このときはスタンド下端の底板２３下面だけが接地面となって、スタンドおよび該スタンドに装着させた容器１を支持して正立状態を保つ。
【００２３】
以下、第２、第３、第４、第５実施形態について説明するが、第１実施形態と同一部分については同一符号を付することで説明を省略する。
【００２４】
図４と図５とは第２実施形態を示す。該実施形態は、スタンド上端の装着部２６と、該装着部を嵌合させる、容器口頸部部分とを第１実施形態に対して変更したものである。
【００２５】
装着部２６は、図５が示すように優弧状の弾性板３１で形成しており、その内面を容器口頸部５の下端外面へ周設させた凹溝６内へ嵌合させることで装着させている。その凹溝底面が形成する少外径口頸部部分外面と弾性板３１の内面とはほぼ同一の曲率とし、かつ弾性板両端間の開口巾３２は、上記小外径口頸部部分の直径よりもやや小としている。
【００２６】
この場合は弾性板３１の両端を小外径口頸部部分外面へ押付けることで弾性板３１が弾性変形して開口巾が拡がり、弾性板内面部分が凹溝６内へ嵌合すると弾性復元して小外径口頸部部分を弾性板３１が挟持するよう設けている。
【００２７】
図６から図８は第３実施形態を示す。
【００２８】
該実施形態にあって容器１は、底壁外周から胴部２を起立し、該胴部上端から肩部４を介して口頸部５を起立する。口頸部５を除く部分は可撓性を有し、該口頸部の下端よりもやや上方に突条７を周設し、該突条上方の口頸部部分は雄ねじ筒に形成している。
【００２９】
又口頸部の上端部には逆キャップ状で頂板に注出孔を有する口蓋状部材１４を嵌合させ、又口頸部５外面へは、上記注出孔閉塞栓付きのキャップ１５を螺合させている。
【００３０】
スタンド２１は、平板状の底板２３前縁から斜後上方へ主板２２を突出し、かつ該主板上端から斜上前方へ、第１実施形態の場合と同様に装着部２６を付設している。
【００３１】
尚主板２２は下方から上方へ、次第に前面凹状でかつ後面凸状の弯曲板に形成している。
【００３２】
図６が示すように、スタンド２１の装着部２６へ容器１の口頸部５を嵌合させ、又容器胴部の上部後面を主板２２の前面へ当接させて、スタンド２１で容器１を保持させる。装着部２６のリング状部２７は、上記キャップ取外し状態で口頸部５の下端部外面へ、既述突条７を強制乗越えさせて嵌合させるが、該装着部は第２実施形態の場合と同様に、優弧状の弾性板で形成し、該弾性板を口頸部下端の凹溝へ嵌合させてもよい。
【００３３】
上記スタンド付き容器使用の際は、キャップ１５を外し、図７が示すように倒立させて胴部２前面を後方側へ押圧すればよい。
【００３４】
図９は第４実施形態を示す。該実施形態は、既述スタンド上端の装着部２６を、注出部付きのキャップ１５で形成している。そのキャップは周壁１６を容器口頸部５の外面へ螺合させており、キャップ頂壁１７は、周壁１６の後部上端とヒンジ１８を介して連結させている。該ヒンジは三点ヒンジのように弾性反転式のヒンジで形成するとよい。
【００３５】
図１０は第５実施形態を示す。該実施形態もスタンド上端の装着部をキャップ１５に代えたものであるが、該キャップは、頂壁１７中央から先端面開口のノズル筒１３を起立し、又キャップ周壁を内外二重筒として、その内筒１６ａ  を口頸部５外面へ螺合させると共に、外筒１６ｂ  後部下面からスタンドの主板２２を垂下し、又外筒上端前部から可撓性の連結帯板１９を突出し、かつその先端へ、上記ノズル筒１３先端への着脱用口蓋２０を付設している。
【００３６】
上記第４および第５実施形態の場合は、図１１が示すようなチューブ容器を用いるとよい。該チューブ容器は口頸部５上端から肉薄の破断線４２を介して蓋４１の周壁４３を一体に起立させ、かつ該蓋頂壁の上面へ摘み板４４を付設したもので、そのチューブ容器の胴部２を持ち、摘み板４４を回すと、上記肉薄の破断線４２が破断されて口頸部５上端が開口するよう設けたものである。
【００３７】
図９、図１０実施形態のスタンドのキャップ１５へ、上記蓋４１を除去した後のチューブ容器口頸部５を嵌合させ、図９の場合はヒンジ１８を中心に頂壁１７を開き、又図１０の場合は口蓋２０を外し、該状態から胴部２を主板２２前面へ押し付けして収納物を注出し、注出後は再び頂壁１７を閉じ、ないし口蓋２０をノズル筒１３先端へ嵌合させる。
【００３８】
尚図９、図１０の場合の主板２２は図６の場合と同様に主板２２下部を横断面平板状に、上部は次第に前面凹状の弯曲面に形成している。
【００３９】
【発明の効果】
本発明は既述構成とするもので、請求項１又は４記載の構成とすることで、倒れ易い容器をスタンド２１で容易に起立させて使用でき、又スタンド２１は容器内収納物がなくなった後は、新しい容器に付け替えして使用でき、又構造は簡易であるため廉価に作成できる便利がある。
【００４０】
請求項２記載のように形成することで、容器取付け状態でスタンド２１を自立させることが容易であり、該スタンドの倒れを防止することが出来る。
【００４１】
請求項３のようにすることで、容器胴部２の圧搾が容易となり、主板２２側と対向する側の胴部２の一面を主板側へ押圧するだけで収納物を注出できるから、注出量を適正とすることが容易となる。
【００４２】
請求項５記載のようにすることで、少時間差をおいて度々注出する場合の容器として、使用の都度ノズル筒先端への口キャップ等着脱による注出口開閉を行わなくてもよいこととなり、その口キャップ等着脱の手間を省くことが出来る。
【００４３】
請求項６記載のようにすることで、容器にキャップを嵌合させなくてもよく、従ってこの場合は容器口頸部の上端開口部の閉塞を、図１１が示すような破断可能に口頸部と一体設した蓋により、又その開口開口部を、剥離可能なシール用薄板貼着する等で行うことが出来、容器用キャップを不要とすることが出来る。
【図面の簡単な説明】
【図１】本発明容器の半断面図である。
【図２】図１容器の使用状態を示す側面図である。
【図３】図１容器に使用しているスタンドの斜視図である。
【図４】第２実施形態で示す容器の半断面図である。
【図５】図４容器に使用しているスタンドの斜視図である。
【図６】第３実施形態で示す、容器の半断面図である。
【図７】図６容器の使用状態を示す側面図である。
【図８】図６容器に使用しているスタンドの斜視図である。
【図９】第４実施形態で示す、容器の半断面図である。
【図１０】第５実施形態で示す、容器の半断面図である。
【図１１】上記第４、第５実施形態で使用することの出来る容器を、一部を切欠き、かつ口部閉塞状態で示す正面図である。
【符号の説明】
１…容器                    ２…胴部
５…口頸部                  １１…ノズル筒付きキャップ
１２…キャップ状部              １３…ノズル筒
１５…キャップ                    ２１…スタンド
２２…主板                            ２３…底板
２６…装着部
【図１】
2004299691.tif 000003
【図２】
2004299691.tif 000004
【図３】
2004299691.tif 000005
【図４】
2004299691.tif 000006
【図５】
2004299691.tif 000007
【図６】
2004299691.tif 000008
【図７】
2004299691.tif 000009
【図８】
2004299691.tif 000010
【図９】
2004299691.tif 000011
【図１０】
2004299691.tif 000012
【図１１】
2004299691.tif 000013